(57)【特許請求の範囲】
【請求項１】
第１圧電材料を備えて成り、圧電現象を利用することによって電気信号と超音波信号との間で相互に信号を変換することができる複数の第１圧電素子を備える第１圧電部と、
第２圧電材料を備えて成り、圧電現象を利用することによって電気信号と超音波信号との間で相互に信号を変換することができる複数の第２圧電素子を備える第２圧電部とを備え、
前記第１圧電部は、被検体内に第１超音波信号を送信するための送信用であり、
前記第２圧電部は、前記第１超音波信号に基づく前記被検体内から来た第２超音波信号を受信するための受信用であり、
前記第１圧電部の前記複数の第１圧電素子における第１素子ピッチと、前記第２圧電部の前記複数の第２圧電素子における第２素子ピッチとは、互いに異なり、
前記複数の第２圧電素子における第２素子ピッチは、前記第１超音波信号の周波数を基本周波数とした場合に、前記第２圧電部で受信すべき高次高調波の次数で第１素子ピッチを割った略値であること
を特徴とする超音波探触子。
【請求項２】
第１圧電材料を備えて成り、圧電現象を利用することによって電気信号と超音波信号との間で相互に信号を変換することができる複数の第１圧電素子を備える第１圧電部と、
第２圧電材料を備えて成り、圧電現象を利用することによって電気信号と超音波信号との間で相互に信号を変換することができる複数の第２圧電素子を備える第２圧電部とを備え、
前記第１圧電部は、被検体内に第１超音波信号を送信するための送信用であり、
前記第２圧電部は、前記第１超音波信号に基づく前記被検体内から来た第２超音波信号を受信するための受信用であり、
前記第１圧電部の前記複数の第１圧電素子における第１素子ピッチと、前記第２圧電部の前記複数の第２圧電素子における第２素子ピッチとは、互いに異なり、
前記第１および第２圧電部は、それぞれ、前記第１および第２圧電素子を１列に配列したリニアアレイ素子であり、
前記第１圧電部の前記複数の第１圧電素子は、６４個から５１２個までのうちのいずれかの個数であり、
前記第２圧電部の前記複数の第２圧電素子は、前記第１圧電部の前記複数の第１圧電素子の素子数に対し、その２倍から４倍までのうちのいずれかであること
を特徴とする超音波探触子。
【請求項３】
第１圧電材料を備えて成り、圧電現象を利用することによって電気信号と超音波信号との間で相互に信号を変換することができる複数の第１圧電素子を備える第１圧電部と、
第２圧電材料を備えて成り、圧電現象を利用することによって電気信号と超音波信号との間で相互に信号を変換することができる複数の第２圧電素子を備える第２圧電部とを備え、
前記第１圧電部は、被検体内に第１超音波信号を送信するための送信用であり、
前記第２圧電部は、前記第１超音波信号に基づく前記被検体内から来た第２超音波信号を受信するための受信用であり、
前記第１圧電部の前記複数の第１圧電素子における第１素子ピッチと、前記第２圧電部の前記複数の第２圧電素子における第２素子ピッチとは、互いに異なり、
前記第１および第２圧電部は、それぞれ、前記第１および第２圧電素子を１列に配列したリニアアレイ素子であり、
前記第１圧電部の前記複数の第１圧電素子は、６４個から５１２個までのうちのいずれかの個数であり、
前記第２圧電部の前記複数の第２圧電素子は、前記第１圧電部の前記複数の第１圧電素子の素子数に対し、前記第２圧電部で受信すべき高次高調波の略次数倍であること
を特徴とする超音波探触子。
【請求項４】
第１圧電材料を備えて成り、圧電現象を利用することによって電気信号と超音波信号との間で相互に信号を変換することができる複数の第１圧電素子を備える第１圧電部と、
第２圧電材料を備えて成り、圧電現象を利用することによって電気信号と超音波信号との間で相互に信号を変換することができる複数の第２圧電素子を備える第２圧電部とを備え、
前記第１圧電部は、被検体内に第１超音波信号を送信するための送信用であり、
前記第２圧電部は、前記第１超音波信号に基づく前記被検体内から来た第２超音波信号を受信するための受信用であり、
前記第１圧電部の前記複数の第１圧電素子における第１素子ピッチと、前記第２圧電部の前記複数の第２圧電素子における第２素子ピッチとは、互いに異なり、
前記第１圧電部と前記第２圧電部とは、音軸方向で積層されていること
を特徴とする超音波探触子。
【請求項５】
前記第２圧電部の前記第２圧電材料は、有機圧電材料であること
を特徴とする請求項１ないし請求項４のいずれか１項に記載の超音波探触子。
【請求項６】
被検体に対して第１超音波信号を送信すると共に、前記第１超音波信号に基づく前記被検体内から来た第２超音波信号を受信する超音波探触子と、
前記超音波探触子に前記被検体に対して前記第１超音波信号を送信させると共に、前記超音波探触子で受信された前記被検体内から来た前記第２超音波信号に基づいて前記被検体内の内部状態を超音波画像として画像化する超音波診断装置本体とを備え、
前記超音波探触子は、請求項１ないし請求項５のいずれか１項に記載の超音波探触子であること
を特徴とする超音波診断装置。
【発明の詳細な説明】
【技術分野】
【０００１】
本発明は、超音波を送受信可能な超音波探触子およびこの超音波探触子を備えた超音波診断装置に関する。
【背景技術】
【０００２】
超音波は、通常、１６０００Ｈｚ以上の音波をいい、非破壊、無害および略リアルタイムでその内部を調べることが可能なことから、欠陥の検査や疾患の診断等の様々な分野に応用されている。その一つに、被検体内を超音波で走査し、被検体内から来た超音波の反射波（エコー）から生成した受信信号に基づいて当該被検体内の内部状態を画像化する超音波診断装置がある。この超音波診断装置は、医療用では、他の医療用画像装置に較べて小型で安価であり、そしてＸ線等の放射線被爆が無く安全性が高いこと、また、ドップラ効果を応用した血流表示が可能であること等の様々な特長を有している。このため、超音波診断装置は、循環器系（例えば心臓の冠動脈等の診断）、消化器系（例えば胃腸等の診断）、内科系（例えば肝臓、膵臓および脾臓等の診断）、泌尿器系（例えば腎臓および膀胱等の診断）および産婦人科系等で広く利用されている。この超音波診断装置には、被検体に対して超音波（超音波信号）を送受信する超音波探触子が用いられる。この超音波探触子は、圧電現象を利用することによって、送信の電気信号に基づいて機械振動して超音波（超音波信号）を発生し、被検体内部で音響インピーダンスの不整合によって生じる超音波（超音波信号）の反射波を受けて受信の電気信号を生成する１または複数の圧電素子を備えて構成されている。【０００３】
また、近年では、超音波診断装置の超音波探触子から被検体内へ送信された超音波の周波数（基本周波数）の周波数成分（基本波成分）ではなく、その基本周波数の整数倍の周波数（高調波周波数）の周波数成分（高調波成分）によって被検体内の内部状態の画像を形成するハーモニックイメージング（Harmonic Imaging）技術が研究、開発されている。このハーモニックイメージング技術は、基本波成分のレベルに比較してサイドローブレベルが小さく、Ｓ／Ｎ比（signal to noise ratio）が良くなってコントラスト分解能が向上すること、周波数が高くなることによってビーム幅が細くなって横方向分解能が向上すること、近距離では音圧が小さくて音圧の変動が少ないために多重反射が抑制されること、および、焦点以遠の減衰が基本波並みであり高周波を基本波とする場合に較べて深速度を大きく取れること等の様々な利点を有している。このハーモニックイメージング技術には、大別すると、フィルタ法と位相反転法（パルスインバージョン法）との２つの方法がある。このフィルタ法は、高調波検出フィルタにより基本波成分と高調波成分とを分離し、高調波成分だけを抽出し、この高調波成分から、被検体内の内部状態を表す画像（超音波画像）を生成する方法である。また、この位相反転法は、同一方向に続けて互いに位相が反転している第１および第２送信信号を送信し、これら第１および第２送信信号に対応する第１および第２受信信号を加算することによって高調波成分を抽出し、この高調波成分から超音波画像を生成する方法である。第１および第２受信信号における基本波成分は、位相が反転しているが、高調波の例えば２次高調波成分は、同相となるため、第１および第２受信信号を加算することによってこの２次高調波成分が抽出される（例えば特許文献１参照）。【０００４】
このようなハーモニックイメージング技術に好適に用いられる超音波探触子は、例えば、特許文献２に開示の超音波探触子がある。この特許文献２に開示の超音波探触子は、有機物質で構成された高比誘電率層（強誘電体層）と該高比誘電率層に積層された低比誘電率層とを備える受信用圧電素子と、該受信用圧電素子に積層された送信用圧電素子とを備えて構成される。ところで、この特許文献２に開示の超音波探触子は、ハーモニックイメージング技術に好適に用いることができるが、より高い画質の超音波画像を形成する上で改良の余地がある。
【先行技術文献】
【特許文献】
【０００５】
【特許文献１】特開２００１−２８６４７２号公報
【特許文献２】特開２００８−１８８４１５号公報
【発明の概要】
【０００６】
本発明は、上述の事情に鑑みて為された発明であり、その目的は、より高い画質の超音波画像を形成することができる超音波探触子およびこの超音波探触子を用いた超音波診断装置を提供することである。
【０００７】
本発明の超音波探触子およびこの超音波探触子を用いた超音波診断装置は、複数の第１および第２圧電素子を備える第１および第２圧電部を備え、前記第１圧電部における前記複数の第１圧電素子における第１素子ピッチと、前記第２圧電部における前記複数の第２圧電素子における第２素子ピッチＰ２とは、互いに異なる。この構成によれば、本発明にかかる超音波探触子およびこれを備えた超音波診断装置は、より高い画質の超音波画像を形成することが可能である。
【０００８】
上記並びにその他の本発明の目的、特徴及び利点は、以下の詳細な記載と添付図面から明らかになるであろう。
【図面の簡単な説明】
【０００９】
【図１】本発明の一実施形態における超音波診断装置の外観構成を示す図である。
【図２】図１に示す超音波診断装置の電気的な構成を示すブロック図である。
【図３】図１に示す超音波診断装置における超音波探触子の構成を示す断面図である。
【図４】図３に示す超音波探触子における製造方法を説明するための斜視図である。
【図５】図３に示す超音波探触子における第２圧電部の他の形態を説明するための斜視図である。
【発明を実施するための形態】
【００１０】
以下、本発明にかかる実施の一形態を図面に基づいて説明する。なお、各図において同一の符号を付した構成は、同一の構成であることを示し、適宜、その説明を省略する。
【００１１】
図１は、実施形態における超音波診断装置の外観構成を示す図である。図２は、実施形態における超音波診断装置の電気的な構成を示すブロック図である。図３は、実施形態の超音波診断装置における超音波探触子の構成を示す断面図である。図４は、実施形態の超音波探触子における製造方法を説明するための斜視図である。図４（Ａ）は、製造工程中における第２圧電部を示し、図４（Ｂ）は、製造工程中における第１圧電部を示す。図５は、実施形態の超音波探触子における第２圧電部の変形形態を説明するための斜視図である。
【００１２】
実施形態における超音波診断装置Ｓは、図１に示すように、図略の生体等の被検体に対して超音波（第１超音波信号）を送信すると共に、この第１超音波信号に基づく被検体内から来た超音波（第２超音波信号）を受信する超音波探触子２と、超音波探触子２とケーブル３を介して接続され、超音波探触子２へケーブル３を介して電気信号の送信信号を送信することによって超音波探触子２に被検体に対して第１超音波信号を送信させると共に、超音波探触子２で受信された被検体内から来た第２超音波信号に応じて超音波探触子２で生成された電気信号の受信信号に基づいて被検体内の内部状態を超音波画像として画像化する超音波診断装置本体１とを備えて構成される。
【００１３】
この第１超音波信号に基づく被検体内から来た超音波は、被検体内における音響インピーダンスの不整合によって被検体内で第１超音波信号が反射した反射波（エコー）だけでなく、例えば微小気泡（マイクロバブル）等の超音波造影剤（コントラスト剤）が用いられている場合には、第１超音波信号に基づいて超音波造影剤の微小気泡で生成される超音波もある。超音波造影剤では、超音波の照射を受けると、超音波造影剤の微小気泡は、共振もしくは共鳴し、さらに一定の閾値以上の音圧では崩壊、消失する。超音波造影剤では、微小気泡の共振によって、あるいは微小気泡の崩壊、消失によって、超音波が生じている。
【００１４】
超音波診断装置本体１は、例えば、図２に示すように、操作入力部１１と、送信部１２と、受信部１３と、画像処理部１４と、表示部１５と、制御部１６とを備えて構成されている。
【００１５】
操作入力部１１は、例えば、診断開始等を指示するコマンドや被検体の個人情報等のデータを入力するための装置であり、例えば、複数の入力スイッチを備えた操作パネルやキーボード等である。
【００１６】
送信部１２は、制御部１６の制御に従って、超音波探触子２へケーブル３を介して電気信号の送信信号を供給することによって、超音波探触子２に第１超音波信号を発生させる回路である。送信部１２は、例えば、高電圧のパルスを生成する高圧パルス発生器等を備えて構成される。そして、送信部１２は、超音波探触子２を構成する複数の圧電素子によって所定方向（所定方位）にメインビーム（主ビーム）を形成した送信ビームの第１超音波信号を被検体内へ送信すべく、例えば、高圧パルス発生器で生成されるパスルに遅延回路で遅延時間を付与することによって駆動信号を生成する送信ビームフォーマ等も備える。この送信部１２で生成された駆動信号は、複数の圧電素子のそれぞれに対し適宜に遅延時間を個別に設定した、パルス状の複数の信号であり、ケーブル３を介して超音波探触子２における前記複数の圧電素子のそれぞれに供給される。この複数の駆動信号によって超音波探触子２は、各圧電素子から放射された超音波の位相が特定方向（特定方位）（あるいは、特定の送信フォーカス点）において一致し、その特定方向にメインビームを形成した送信ビームの第１超音波信号を発生する。前記所定方向は、前記複数の圧電素子によって形成される超音波信号の送受信面における法線方向を基準（０度）とした角度によって表される。このような電子走査方式には、リニア走査方式、セクタ走査方式およびコンベックス方式等がある。
【００１７】
受信部１３は、制御部１６の制御に従って、超音波探触子２からケーブル３を介して電気信号の受信信号を受信する回路であり、この受信信号を画像処理部１４へ出力する。受信部１３は、例えば、ケーブル３の伝送損失（伝送ロス）を補償すべく、受信信号を予め設定された所定の増幅率で増幅する増幅器等を備えて構成される。そして、送信時の送信ビームの形成と同様に、受信時もいわゆる整相加算することによって受信ビームが形成される。すなわち、超音波探触子２における前記複数の圧電素子のそれぞれから出力される複数の出力信号に対し適宜に遅延時間を個別に設定し、これら遅延された複数の出力信号を加算することによって、各出力信号の位相が特定方向（特定方位）（あるいは、特定の受信フォーカス点）において一致し、その特定方向にメインビームが形成される。このような場合において、受信部１３は、例えば、前記増幅器で増幅された各出力信号が入力される受信ビームフォーマ等も備える。
【００１８】
画像処理部１４は、制御部１６の制御に従って、受信部１３で受信された、第１超音波信号に基づく被検体内から来た第２超音波信号における所定の周波数成分に基づいて被検体内の内部状態を表す画像（超音波画像）を形成する回路である。前記所定の周波数成分は、例えば、基本波成分、ならびに、例えば２次高調波成分、３次高調波成分および４次高調波成分等の高調波成分を挙げることができる。画像処理部１４は、複数の周波数成分を用いて超音波画像を形成するように構成されてもよい。画像処理部１４は、例えば、受信部１３の出力に基づいて被検体の超音波画像を生成するＤＳＰ（Digital Signal Processor）、および、表示部１５に超音波画像を表示すべく、前記ＤＳＰで処理された信号をディジタル信号からアナログ信号へ変換するディジタル−アナログ変換回路（ＤＡＣ回路）等を備えて構成される。前記ＤＳＰは、例えば、Ｂモード処理回路、ドプラ処理回路およびカラーモード処理回路等を備え、いわゆるＢモード画像、ドプラ画像およびカラーモード画像の生成が可能とされている。
【００１９】
表示部１５は、制御部１６の制御に従って、画像処理部１４で生成された被検体の超音波画像を表示する装置である。表示部１５は、例えば、ＣＲＴディスプレイ、ＬＣＤ（液晶ディスプレイ）、有機ＥＬディスプレイおよびプラズマディスプレイ等の表示装置やプリンタ等の印刷装置等である。
【００２０】
制御部１６は、例えば、マイクロプロセッサ、記憶素子およびその周辺回路等を備えて構成され、これら超音波探触子２、操作入力部１１、送信部１２、受信部１３、画像処理部１４および表示部１５を当該機能に応じてそれぞれ制御することによって超音波診断装置Ｓの全体制御を行う回路である。
【００２１】
また、超音波探触子（超音波プローブ）２は、被検体内に第１超音波信号を送信しこの第１超音波信号に基づく被検体内から来た第２超音波信号を受信する装置である。超音波探触子２は、例えば、図３に示すように、平板状の音響制動部材（音響吸収部材、バッキング層、ダンパ層）２１と、この音響制動部材２１の一方主面上に積層された第１圧電部２２と、この第１圧電部２２上に積層された第１電極層２３と、この第１電極層２３上に積層された中間層２４と、この中間層２４上に積層された第２電極層２５と、この第２電極層２５上に積層された第２圧電部２６と、この第２圧電部２６上に積層された音響整合層２７とを備えて構成される。
【００２２】
音響制動部材２１は、第１圧電部２２を機械的に支持し、また、第１圧電部２２の音響特性を良好に保つべく音響的に制動をかけるものであり、超音波を吸収する材料（超音波吸収材）から構成され、主に、第１圧電部２２から音響制動部材２１方向へ放射される超音波を吸収するものである。
【００２３】
第１圧電部２２は、第１圧電材料を備えて成り、圧電現象を利用することによって電気信号と超音波信号との間で相互に信号を変換することができる複数の第１圧電素子を備えて構成される。第１圧電部２２は、本実施形態では、ケーブル３を介して超音波診断装置本体１の送信部１２に接続され、被検体内に第１超音波信号を送信するための送信用に利用される。第１圧電部２２は、超音波診断装置本体１の送信部１２からケーブル３を介して入力された送信信号を超音波信号へ変換してこの超音波信号を被検体へ第１超音波信号として送信する。超音波探触子２が被検体に当てられることによって、第１圧電部２２で生成された超音波信号が第１超音波信号として被検体内へ送信され、後述するように本実施形態では、被検体内から来た第２超音波信号が第２圧電部２６で受信される。
【００２４】
第１圧電部２２における複数の第１圧電素子は、それぞれ、互いに対向する一対の第１および第２電極を備え、これら第１および第２電極間に第１圧電材料を備えて構成されている。これら複数の第１圧電素子は、例えば、互いに所定の間隔を空けて直線的に配列され、１次元リニアアレイ型超音波振動子を構成してもよく、また例えば、これら複数の第１圧電素子は、互いに所定の間隔を空けて平面視にて互いに線形独立な２方向に、例えば、互いに直交する２方向にｊ行×ｋ列で配列され、２次元アレイ状に構成された２次元アレイ型超音波振動子を構成してもよい（ｊ、ｋは、正の整数である）。第１圧電部２２における第１圧電素子間には、相互干渉を低減するために、超音波を吸収する超音波吸収材が充填されてもよい。
【００２５】
第２圧電部２６は、第２圧電材料を備えて成り、圧電現象を利用することによって電気信号と超音波信号との間で相互に信号を変換することができる複数の第２圧電素子を備えて構成される。第２圧電部２２は、本実施形態では、ケーブル３を介して超音波診断装置本体１の受信部１３に接続され、前記第１超音波信号に基づく前記被検体内から来た第２超音波信号を受信するための受信用に利用される。第２圧電部２２は、受信した第２超音波信号を電気信号へ変換してこの電気信号（受信信号）をケーブル３を介して超音波診断装置本体１の受信部１３へ出力する。
【００２６】
第２圧電部２６における複数の第２圧電素子は、それぞれ、第１圧電部２２の第１圧電素子と同様に、互いに対向する一対の第３および第４電極を備え、これら第３および第４電極間に第２圧電材料を備えて構成されている。これら複数の第２圧電素子は、例えば、互いに所定の間隔を空けて直線的に配列され、１次元リニアアレイ型超音波振動子を構成してもよく、また例えば、これら複数の第２圧電素子は、互いに所定の間隔を空けて平面視にて互いに線形独立な２方向に、例えば、互いに直交する２方向にｍ行×ｎ列で配列され、２次元アレイ状に構成された２次元アレイ型超音波振動子を構成してもよい（ｍ、ｎは、正の整数である）。通常、第１圧電部２２と第２圧電部２６とは、同一のタイプで構成され、第１圧電部２２が１次元リニアアレイ型超音波振動子である場合には、第２圧電部２６も１次元リニアアレイ型超音波振動子であり、また、第１圧電部２２が２次元アレイ型超音波振動子である場合には、第２圧電部２６も２次元アレイ型超音波振動子である。第２圧電部２６における第２圧電素子間には、相互干渉を低減するために、超音波を吸収する超音波吸収材が充填されてもよい。
【００２７】
中間層２４は、第１圧電部２２と第２圧電部２６とを積層するための部材であり、第１圧電部２２と第２圧電部２６との音響インピーダンスを整合させるものである。
【００２８】
第１電極層２３は、第１圧電部２２の各第１圧電素子をそれぞれ接地するための共通接地電極であり、第１圧電部２２の各第１圧電素子には、積層方向に音響制動部材２１を貫通する信号線２８によって電気の送信信号がそれぞれ供給される。第２電極層２５は、第２圧電部２６の各第２圧電素子をそれぞれ接地するための共通接地電極であり、第２圧電部２６の各第２圧電素子には、図略の信号線が接続されており、電気の受信信信号がそれぞれ取り出される。
【００２９】
第１電極層２３は、中間層２４の一方主面に形成され、第２電極層２５は、中間層２４の他方主面（前記一方主面に対向する主面）に形成されている。このように本実施形態では、第１圧電部２２と第２圧電部２６とは、第１電極層２３、中間層２４および第２電極層２５を介して間接的に積層されている。なお、第１圧電部２２と第２圧電部２６とは、直接的に積層されてもよい。
【００３０】
音響整合層２７は、第１圧電部２２の音響インピーダンスと被検体の音響インピーダンスとの整合をとると共に、第２圧電部２６の音響インピーダンスと被検体の音響インピーダンスとの整合をとる部材である。そして、音響整合層２７は、円弧状に膨出した形状とされる、被検体に向けて送信される超音波を収束する音響レンズを含んでもよい。
【００３１】
ここで、注目すべきは、本実施形態の超音波探触子２は、第１圧電部２２の複数の第１圧電素子における第１素子ピッチＰ１と、第２圧電部２６の複数の第２圧電素子における第２素子ピッチＰ２とは、互いに異なることである。なお、素子ピッチＰ１、Ｐ２とは、図３に示すように、互いに隣接する第１および第２素子における前記第１素子の中心と前記第２素子の中心との間の距離である。
【００３２】
このように本実施形態の超音波探触子２では、第１圧電部２２の第１圧電素子における第１素子ピッチＰ１と第２圧電部２６の第２圧電素子における第２素子ピッチＰ２とは互いに異なるものとすることができるので、第１素子ピッチＰ１は、第１圧電素子が第１超音波信号を送信する場合にこの第１超音波信号の送信に適したピッチ（間隔）に設計することができるとともに、第２素子ピッチＰ１は、第２圧電素子が第２超音波信号を受信する場合にこの第２超音波信号の受信に適したピッチ（間隔）に設計することができる。このため、サイドローブを低減することが可能となり、アーチフェクトを低減することができ、この結果、より高い画質の超音波画像を形成することが可能となる。
【００３３】
なお、複数の圧電素子を備える圧電部（第１圧電部２２、第２圧電部２６、超音波探触子２）の送受信特性において、素子ピッチＰと超音波信号の周波数ｆとの間には、次の関係があり、この関係式１より、素子ピッチを適宜に設計することにより、サイドローブの低減を図ることが可能となる。
ｐ≦λ／（１＋｜ｓｉｎθ｜）      ・・・（１）
ここで、ｐは、素子ピッチであり、λは、波長であり、θは、走査角である。また、波長λは、音速ｃと周波数ｆとの間に、λ＝ｃ／ｆの関係がある。そして、走査角θは、所定の角度範囲でよいが、圧電素子からより良好に第１超音波信号を射出するとともに圧電素子へより良好に第２超音波信号を入射させるために、走査角θは、−４５゜≦θ≦＋４５゜であることが好ましい。
【００３４】
ここで、第２圧電部２６の第２素子ピッチＰ２が、第１圧電部２２から送信される第１超音波信号の周波数を基本周波数とした場合に、第２圧電部２６で受信すべき高次高調波の次数で第１素子ピッチＰ１を割った略値であるように、超音波探触子２が構成されてもよい。例えば、第２圧電部２６が２次高調波を主に受信しようとする場合、第２圧電部２６の第２素子ピッチＰ２が第１圧電部２２の第１素子ピッチＰ１を２で割った略値となるように（Ｐ２＝Ｐ１／２）、超音波探触子２が構成される。このように構成することによって、第２素子ピッチＰ２は、第２圧電部２６で受信すべき高次高調波の次数に応じた大きさに設定されるので、第２圧電部２６は、前記次数の高次高調波をより良好に（より高いＳＮ比で）受信することが可能となる。この結果、いわゆるハーモニックイメージング技術によって超音波画像を形成する場合に、より高い画質で超音波画像を形成することが可能となる。
【００３５】
また、第１および第２圧電部２２、２６が、それぞれ、第１および第２圧電素子を１列に配列した１次元リニアアレイ型であり、第１圧電部２２の複数の第１圧電素子が、６４個から５１２個までのうちのいずれかの個数であり、第２圧電部２６の複数の第２圧電素子が、第１圧電部２２の複数の第１圧電素子の素子数に対し、その２倍から４倍までのうちのいずれかであるように、超音波探触子２が構成されてもよい。
【００３６】
超音波診断装置によって人体の断層画像を形成する場合、超音波探触子を人体内部に挿入したり、超音波探触子を体表面に押し当てたり等することになり、挿入の容易性から、超音波探触子は、小さい方が好ましく、また、人体の一般的な体格における体表面の平坦面の大きさから、超音波探触子の大きさは、一般に８０ｍｍが限界である。その一方で、一度の押し当てによってより広い領域が測定可能域とされることが望ましい。このような事情、および、一般的な素子ピッチが約０．１ないし０．８ｍｍであることを勘案すると、超音波探触子の開口サイズは、５ｍｍないし６０ｍｍ程度が好ましく、製造工程等におけるマージンを考慮すると、超音波探触子の開口サイズは、約６ｍｍないし約５０ｍｍが好ましく、これを素子数に換算すると、第１圧電部２２の複数の第１圧電素子は、６４個から５１２個までのうちのいずれかの個数であることが好ましい。
【００３７】
また、超音波画像をより高解像度化（より精細化）するためには圧電素子の素数がより多い方が好ましく、前記事情およびこの観点から、素子ピッチは、約０．１ないし０．４ｍｍであることがより好ましく、約０．１ないし０．２ｍｍであることがさらにより好ましい。
【００３８】
このように構成することによって、超音波探触子２のハンドリング性と診断範囲の広域化とを両立することができ、第２素子ピッチＰ２は、第２次高調波ないし第４次高調波のいずれかに応じた大きさに設定されるので、第２圧電部２６は、この設定された次数の高次高調波をより良好に（より高いＳＮ比で）受信することが可能となる。この結果、いわゆるハーモニックイメージング技術によって超音波画像を形成する場合に、より高い画質で超音波画像を形成することが可能となる。
【００３９】
また、第１および第２圧電部２２、２６が、それぞれ、第１および第２圧電素子を１列に配列した１次元リニアアレイ型であり、第１圧電部２２の複数の第１圧電素子が、６４個から５１２個までのうちのいずれかの個数であり、第２圧電部２６の複数の第２圧電素子が、第１圧電部２２の複数の第１圧電素子の素子数に対し、第２圧電部２６で受信すべき高次高調波の略次数倍であるように、超音波探触子２が構成されてもよい。例えば、第２圧電部２６が２次高調波を主に受信しようとする場合、第２圧電部２６における第２圧電素子の素子数が第１圧電部２２における第１圧電素子の素子数の略２倍となるように、すなわち、第２圧電部２６の第２素子ピッチＰ２が第１圧電部２２の第１素子ピッチＰ１の略１／２となるように（Ｐ２＝Ｐ１／２）、超音波探触子２が構成される。このように構成することによって、超音波探触子２のハンドリング性と診断範囲の広域化とを両立することができ、第２素子ピッチＰ２は、第２圧電部２６で受信すべき高次高調波の次数に応じた大きさに設定されるので、第２圧電部２６は、この設定された次数の高次高調波をより良好に（より高いＳＮ比で）受信することが可能となる。この結果、いわゆるハーモニックイメージング技術によって超音波画像を形成する場合に、より高い画質で前記超音波画像を形成することが可能となる。
【００４０】
このような超音波診断装置Ｓでは、診断の際に、例えば、操作入力部１１から診断開始の指示が入力されると、制御部１６の制御によって送信部１２で電気信号の送信信号が生成される。この生成された電気信号の送信信号は、ケーブル３を介して超音波探触子２へ供給される。より具体的には、この電気信号の送信信号は、超音波探触子２における第１圧電部２２へ供給され、第１圧電部２２では、当該第１圧電部２２における前記複数の第１圧電素子へ所定の遅延時間でそれぞれ供給される。前記第１圧電素子では、この電気信号の送信信号が供給されることによってその厚さ方向に伸縮し、この電気信号の送信信号に応じて超音波振動する。この超音波振動によって、前記第１圧電素子は、第１超音波信号を放射する。前記第１圧電素子から音響制動部材２１方向へ放射された第１超音波信号は、音響制動部材２１によって吸収される。また、前記第１圧電素子から音響整合層２７方向へ放射された第１超音波信号は、第１電極層２３、中間層２４、第２電極層２５、第２圧電部２６および音響整合層２７を介して放射される。超音波探触子２が被検体に例えば当接されていると、これによって超音波探触子２から被検体に対して第１超音波信号が送信される。
【００４１】
なお、超音波探触子２は、被検体の表面上に当接して用いられてもよいし、被検体の内部に挿入して、例えば、生体の体腔内に挿入して用いられてもよい。
【００４２】
この被検体に対して送信された超音波は、被検体内部における音響インピーダンスが異なる１または複数の境界面で反射され、超音波の反射波となる。あるいは超音波造影剤が被検体内に注入されている場合には、第１超音波信号に起因して超音波造影剤によって超音波が生成される。この超音波には、送信された第１超音波信号の周波数（基本波の基本周波数）成分だけでなく、基本周波数の整数倍の高調波の周波数成分も含まれる。例えば、基本周波数の２倍、３倍および４倍等の２次高調波成分、３次高調波成分および４次高調波成分等も含まれる。この超音波は、超音波探触子２で受信される。より具体的には、この超音波は、音響整合層２７を介して第２圧電部２６における複数の第２圧電素子で受信される。すなわち、この超音波は、前記第２圧電素子で受信され、前記第２圧電素子で機械的な振動が電気信号に変換されて受信信号として取り出される。
【００４３】
そして、第２圧電部２６で取り出されたこの電気信号の受信信号は、ケーブル３を介して制御部１６で制御される受信部１３で受信される。受信部１３は、この入力された受信信号を受信処理し、より具体的には、例えば増幅した後に画像処理部１４へ出力する。
【００４４】
ここで、上述において、方位およびフォーカス深度（観察点）を変えながら電子走査を行うべく、第１圧電部２２から順次に第１超音波信号が被検体に向けて送信され、被検体で反射した第２超音波信号が第２圧電部２６で受信される。
【００４５】
そして、画像処理部１４は、制御部１６の制御によって、受信部１３で受信された受信信号に基づいて、送信から受信までの時間や受信強度等から被検体の超音波画像を生成する。例えば、画像処理部１４では、フィルタ法によって受信信号から高調波成分が抽出され、この抽出された高調波成分に基づいてハーモニックイメージング技術を用いて被検体内部の内部状態の超音波画像が生成される。また例えば、画像処理部１４では、位相反転法（パルスインバージョン法）によって受信信号から高調波成分が抽出され、この抽出された高調波成分に基づいてハーモニックイメージング技術を用いて被検体内部の内部状態の超音波画像が生成される。そして、表示部１５は、制御部１６の制御によって、画像処理部１４で生成された被検体の超音波画像を表示する。
【００４６】
このように動作する超音波診断装置Ｓにおいて、上述したように、第１圧電部２２の第１素子ピッチＰ１と第２圧電部２６の素子ピッチＰ２とは、互いに異なるものとすることができるので、それぞれの用途に適したピッチ（間隔）に設計することができる。このため、サイドローブを低減することが可能となり、アーチフェクトを低減することができ、この結果、より高い画質の超音波画像を形成することが可能となる。
【００４７】
また、上述の超音波診断装置Ｓにおける超音波探触子２において、第１および第２圧電部２２、２６が互いに積層されているので、小型化が可能となる。
【００４８】
なお、上述の実施形態では、このように第１および第２圧電部２２、２６は、互いに積層されて構成されたが、略同一平面で互いに隣接して並設されるように構成されてもよい。
【００４９】
また、上述の実施形態において、超音波探触子２における第１および第２圧電部２２、２６を形成する第１および第２圧電材料は、共に無機圧電材料であってよく、また共に有機圧電材料であってよく、また一方が無機圧電材料であって他方が有機圧電材料であってもよい。無機圧電材料は、例えば、いわゆるＰＺＴ、水晶、ニオブ酸リチウム（ＬｉＮｂＯ３）、ニオブ酸タンタル酸カリウム（Ｋ（Ｔａ，Ｎｂ）Ｏ３）、チタン酸バリウム（ＢａＴｉＯ３）、タンタル酸リチウム（ＬｉＴａＯ３）およびチタン酸ストロンチウム（ＳｒＴｉＯ３）等である。有機圧電材料は、例えば、フッ化ビニリデンの重合体を用いることができる。また例えば、有機圧電材料は、フッ化ビニリデン（ＶＤＦ）系コポリマを用いることができる。このフッ化ビニリデン系コポリマは、フッ化ビニリデンと他の単量体との共重合体（コポリマ）であり、他の単量体としては、３フッ化エチレン、テトラフルオロエチレン、パーフルオロアルキルビニルエーテル（ＰＦＡ）、パーフルオロアルコキシエチレン（ＰＡＥ）およびパーフルオロヘキサエチレン等を用いることができる。フッ化ビニリデン系コポリマは、その共重合比によって厚み方向の電気機械結合定数（圧電効果）が変化するので、例えば、超音波探触子の仕様等に応じて適宜な共重合比が採用される。例えば、フッ化ビニリデン／３フッ化エチレンのコポリマの場合では、フッ化ビニリデンの共重合比が６０ｍｏｌ％〜９９ｍｏｌ％が好ましく、有機圧電素子を無機圧電素子に積層する複合素子の場合では、フッ化ビニリデンの共重合比が８５ｍｏｌ％〜９９ｍｏｌ％がより好ましい。また、このような複合素子の場合では、他の単量体は、パーフルオロアルキルビニルエーテル（ＰＦＡ）、パーフルオロアルコキシエチレン（ＰＡＥ）およびパーフルオロヘキサエチレンが好ましい。また例えば、有機圧電材料は、ポリ尿素を用いることができる。このポリ尿素の場合では、蒸着重合法で圧電体を作成することが好ましい。ポリ尿素用のモノマとして、一般式、Ｈ２Ｎ−Ｒ−ＮＨ２構造を挙げることができる。ここで、Ｒは、任意の置換基で置換されてもよいアルキレン基、フェニレン基、２価のヘテロ環基、ヘテロ環基を含んでもよい。ポリ尿素は、尿素誘導体と他の単量体との共重合体であってもよい。好ましいポリ尿素として、４，４’−ジアミノジフェニルメタン（ＭＤＡ）と４，４’−ジフェニルメタンジイソシアナート（ＭＤＩ）を用いる芳香族ポリ尿素を挙げることができる。
【００５０】
例えば、第１および第２圧電材料が共に無機圧電材料である場合には、まず、所定の厚さを持った平板状の無機圧電材料から成る第２無機圧電体が用意され、次に、その両主面に略全面に亘ってそれぞれ第３および第４電極が例えばスクリーン印刷、蒸着あるいはスパッタ等によって形成され、次に、一方主面上に音響整合層２７が図略の信号線を介して積層され、次に、平面視にて線形独立な２方向に第２素子ピッチＰ２で溝（隙間、間隙、ギャップ、スリット）が前記第２無機圧電体に、例えばダイシングソ等によって音響整合層２７が露出するまで積層方向に形成される。これによって図４（Ａ）に示すように、音響整合層２７上に第２圧電素子として複数の無機圧電素子が形成され、図３に示す第２圧電部２６としての第２圧電部２６Ａが形成される。
【００５１】
また、所定の厚さを持った平板状の無機圧電材料から成る第１無機圧電体が用意され、次に、その両主面に略全面に亘ってそれぞれ第１および第２電極が例えばスクリーン印刷、蒸着あるいはスパッタ等によって形成され、次に、一方主面上に音響制動部材２１が積層され、次に、平面視にて線形独立な２方向に第１素子ピッチＰ１で溝（隙間、間隙、ギャップ、スリット）が前記第１無機圧電体に、例えばダイシングソ等によって音響制動部材２１が露出するまで積層方向に形成される。なお、この音響制動部材２１内には、積層方向に当該音響制動部材２１を貫通するように、送信の電気信号を伝送するための複数の信号線２８（不図示）が形成されており、前記第１無機圧電体を音響制動部材２１に積層する際には、これら各信号線２８は、前記第１無機圧電体の一方主面に形成された電極層に電気的に接続される。これによって図４（Ｂ）に示すように、音響制動部材２１上に第１圧電素子として複数の無機圧電素子が形成され、第１圧電部２２が形成される。
【００５２】
そして、第１圧電部２２の前記溝および第２圧電部２６Ａの前記溝に超音波吸収材が充填され、次に、第１圧電部２２上に、第１電極層２３が例えばスクリーン印刷、蒸着あるいはスパッタ等によって形成され、次に、その上に中間層２４が例えばスクリーン印刷あるいは蒸着等によって形成され、次に、その上に第２電極層２５が例えばスクリーン印刷、蒸着あるいはスパッタ等によって形成され、そして、その上に図４（Ａ）に示す前記音響整合層２７および第２圧電部２６が積層され、図３に示す構造の超音波探触子２が製造される。
【００５３】
また、第１および第２圧電材料が共に有機圧電材料である場合や、第１および第２圧電材料における一方が無機圧電材料であってその他方が有機圧電材料である場合も、第１および第２圧電材料が共に無機圧電材料である場合と同様に、超音波探触子２が製造されてもよいし、あるいは、圧電材料が有機圧電材料である場合に、複数の圧電素子が一体化したシート状の圧電部が用いられてもよい。
【００５４】
より具体的には、まず、所定の厚さを持った平板状の有機圧電材料から成る有機圧電体２６１が用意され、次に、その一方主面に互いに分離した複数の素電極２６２が例えばスクリーン印刷、蒸着あるいはスパッタ等によって形成される。これら複数の素電極２６２は、平面視にて線形独立な２方向に、例えば互いに直交する２方向に２次元アレイ状に配列するように形成される。素電極２６２は、例えば、平面視にて矩形状とされる。続いて、有機圧電体２６１の他方主面に略全面に亘って電極２６３が例えばスクリーン印刷、蒸着あるいはスパッタ等によって形成される。これによって２次元アレイ状に配列された複数の素電極２６２を一方主面に備えると共に他方主面に略全面に亘って電極２６３を備える圧電部２６Ｂが形成される。このような構成の圧電部２６Ｂは、素電極２６２と、これに対向する電極２６３と、これら素電極２６２と電極２６３との間に介在する有機圧電材料の有機圧電体２６１とから１個の圧電素子が構成され、複数の有機圧電素子を含む。このように製造されるので、複数の有機圧電素子を形成するためにシート状の有機圧電体２６１に溝（間隙、隙間、ギャップ、スリット）を形成する工程が必要ない。したがって、このような構成では、有機圧電素子に対して溝を形成する工程が必要ではないため、有機圧電素子の製造工程がより単純化され、より少ない工数で超音波探触子２を製造することが可能となる。
【００５５】
ここで、本実施形態では、第２圧電部２６の第２圧電材料が有機圧電材料であることが好ましい。すなわち、図３に示す第２圧電部２６は、図５に示す圧電部２６Ｂであることが好ましい。このように構成することによって、受信用の第２圧電部２６（２６Ｂ）が有機圧電材料によって構成されるので、第２圧電部２６（２６Ｂ）の広帯域化が容易であり、第２超音波信号の高次高調波の受信がより容易となる。
【００５６】
本明細書は、上記のように様々な態様の技術を開示しているが、そのうち主な技術を以下に纏める。
【００５７】
一態様にかかる超音波探触子は、第１圧電材料を備えて成り、圧電現象を利用することによって電気信号と超音波信号との間で相互に信号を変換することができる複数の第１圧電素子を備える第１圧電部と、第２圧電材料を備えて成り、圧電現象を利用することによって電気信号と超音波信号との間で相互に信号を変換することができる複数の第２圧電素子を備える第２圧電部とを備え、前記第１圧電部は、被検体内に第１超音波信号を送信するための送信用であり、前記第２圧電部は、前記第１超音波信号に基づく前記被検体内から来た第２超音波信号を受信するための受信用であり、前記第１圧電部の前記複数の第１圧電素子における第１素子ピッチと、前記第２圧電部の前記複数の第２圧電素子における第２素子ピッチとは、互いに異なる。
【００５８】
このような構成では、第１圧電部の第１圧電素子における第１素子ピッチと第２圧電部の第２圧電素子における第２素子ピッチとは互いに異なるものとすることができるので、第１素子ピッチは、第１圧電素子が第１超音波信号を送信する場合にこの第１超音波信号の送信に適したピッチ（間隔）に設計することができるとともに、第２素子ピッチは、第２圧電素子が第２超音波信号を受信する場合にこの第２超音波信号の受信に適したピッチ（間隔）に設計することができる。このため、サイドローブを低減することが可能となり、アーチフェクトを低減することができ、この結果、より高い画質の超音波画像を形成することが可能となる。
【００５９】
ここで、前記素子ピッチ（第１素子ピッチ、第２素子ピッチ）は、互いに隣接する第１および第２素子における第１素子の中心と第２素子の中心との間の距離である。
【００６０】
また、他の一態様では、上述の超音波探触子において、前記複数の第２圧電素子における第２素子ピッチは、前記第１超音波信号の周波数を基本周波数とした場合に、前記第２圧電部で受信すべき高次高調波の次数で第１素子ピッチを割った略値である。
【００６１】
この構成によれば、第２素子ピッチは、第２圧電部で受信すべき高次高調波の次数に応じた大きさに設定されるので、前記第２圧電部は、前記次数の高次高調波をより良好に（より高いＳＮ比で）受信することが可能となる。この結果、いわゆるハーモニックイメージング技術によって超音波画像を形成する場合に、より高い画質で前記超音波画像を形成することが可能となる。
【００６２】
また、他の一態様では、上述の超音波探触子において、前記第１および第２圧電部は、それぞれ、前記第１および第２圧電素子を１列に配列したリニアアレイ素子であり、前記第１圧電部の前記複数の第１圧電素子は、６４個から５１２個までのうちのいずれかの個数であり、前記第２圧電部の前記複数の第２圧電素子は、前記第１圧電部の前記複数の第１圧電素子の素子数に対し、その２倍から４倍までのうちのいずれかである。
【００６３】
この構成によれば、超音波探触子のハンドリング性と診断範囲の広域化とを両立することができ、第２素子ピッチは、第２次高調波ないし第４次高調波のいずれかに応じた大きさに設定されるので、前記第２圧電部は、この設定された次数の高次高調波をより良好に（より高いＳＮ比で）受信することが可能となる。この結果、いわゆるハーモニックイメージング技術によって超音波画像を形成する場合に、より高い画質で前記超音波画像を形成することが可能となる。
【００６４】
また、他の一態様では、上述の超音波探触子において、前記第１および第２圧電部は、それぞれ、前記第１および第２圧電素子を１列に配列したリニアアレイ素子であり、前記第１圧電部の前記複数の第１圧電素子は、６４個から５１２個までのうちのいずれかの個数であり、前記第２圧電部の前記複数の第２圧電素子は、前記第１圧電部の前記複数の第１圧電素子の素子数に対し、前記第２圧電部で受信すべき高次高調波の略次数倍である。
【００６５】
この構成によれば、超音波探触子のハンドリング性と診断範囲の広域化とを両立することができ、第２素子ピッチは、第２圧電部で受信すべき高次高調波の次数に応じた大きさに設定されるので、前記第２圧電部は、この設定された次数の高次高調波をより良好に（より高いＳＮ比で）受信することが可能となる。この結果、いわゆるハーモニックイメージング技術によって超音波画像を形成する場合に、より高い画質で前記超音波画像を形成することが可能となる。
【００６６】
また、他の一態様では、これら上述の超音波探触子において、前記第２圧電部の前記第２圧電材料は、有機圧電材料である。
【００６７】
この構成によれば、受信用の第２圧電部が有機圧電材料によって構成されるので、第２圧電部の広帯域化が容易であり、第２超音波信号の高次高調波の受信がより容易となる。
【００６８】
また、他の一態様では、これら上述の超音波探触子において、前記第１圧電部と前記第２圧電部とは、音軸方向で積層されていることを特徴とする。
【００６９】
この構成によれば、第１および第２圧電部が積層されているので、小型化が可能となる。
【００７０】
そして、他の一態様にかかる超音波診断装置は、これら上述のいずれかの超音波探触子を備える。
【００７１】
この構成によれば、より高い画質の超音波画像を形成することができる超音波診断装置が提供される。
【００７２】
この出願は、２００９年５月１１日に出願された日本国特許出願特願２００９−１１４４１２を基礎とするものであり、その内容は、本願に含まれるものである。
【００７３】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【図１】
0005582139.tif 000002
【図２】
0005582139.tif 000003
【図３】
0005582139.tif 000004
【図４】
0005582139.tif 000005
【図５】
0005582139.tif 000006